(57)【特許請求の範囲】
【請求項１】
建物の一部を構成し且つ前記建物の構造材を含み、建設場所以外で予め組み立てられた建物ユニットと、前記建物の壁を構成し且つ前記建物の構造材を含む壁パネルとを接合する建物ユニット及び壁パネルの接合構造であって、
前記建物ユニットが含み且つ前記建物の構造材を構成する第一構造材、及び前記壁パネルが含み且つ前記建物の構造材を構成する第二構造材は、互いに嵌り合うことにより前記第一構造材と前記第二構造材とを接合可能な凸部及び凹部を有し、
前記第一構造材及び前記第二構造材のうちの一方は、前記建物ユニット又は前記壁パネルの側面よりも側方へ突出する突出部分を有するように配置され、前記凹部は、前記突出部分の端部に設けられている
建物ユニット及び壁パネルの接合構造。
【請求項２】
前記第一構造材及び前記第二構造材は、前記建物の梁材である
請求項１に記載の建物ユニット及び壁パネルの接合構造。
【請求項３】
前記壁パネルが設置される支持部上に設けられた突起をさらに備え、
前記壁パネルは、前記突起が挿入される孔を底部に有する
請求項１または２に記載の建物ユニット及び壁パネルの接合構造。
【請求項４】
前記突出部分と前記建物ユニットと前記壁パネルとで囲まれた間隙を閉じるように設置される壁部材をさらに備える
請求項１〜３のいずれか一項に記載の建物ユニット及び壁パネルの接合構造。
【請求項５】
前記凸部は、側方から前記凹部内に挿入可能であり且つ上下方向に前記凹部内に挿入可能である
請求項１〜４のいずれか一項に記載の建物ユニット及び壁パネルの接合構造。
【請求項６】
前記建物ユニットは、前記凹部及び前記凸部の少なくとも一方によって構成される前記壁パネルとの複数の接合部を有し、
前記壁パネルとしての第一壁パネルは、一方の端部及び他方の端部にそれぞれ前記凸部又は前記凹部を有し、
前記建物ユニットと接合されずに前記建物の壁を構成する第二壁パネルが、一方の端部及び他方の端部にそれぞれ前記凸部又は前記凹部を有し、前記第一壁パネル又は他の前記第二壁パネルと接合される
請求項１〜５のいずれか一項に記載の建物ユニット及び壁パネルの接合構造。
【請求項７】
前記建物ユニットは、
土台と柱とが接続されて構成される構造体であり且つ前記柱間の壁材及び天井パネルが接合された第一建物ユニットと、
横架材と柱とが接続されて構成される構造体であり且つ前記柱間の壁材及び天井パネルが接合された第二建物ユニットと
を含み、
前記第二建物ユニットは、前記第一建物ユニットの上に設置され、
前記第一構造材は、前記第一建物ユニットと前記第二建物ユニットとの間に位置する
請求項１〜６のいずれか一項に記載の建物ユニット及び壁パネルの接合構造。
【請求項８】
建物の一部を構成し且つ前記建物の構造材を含み、建設場所以外で予め組み立てられた建物ユニットと、前記建物の壁を構成し且つ前記建物の構造材を含む壁パネルとを接合する建物ユニット及び壁パネルの接合構造であって、
前記建物ユニットが含み且つ前記建物の構造材を構成する第一構造材、及び前記壁パネルが含み且つ前記建物の構造材を構成する第二構造材は、互いに嵌り合うことにより前記第一構造材と前記第二構造材とを接合可能な凸部及び凹部を有し、
前記第一構造材及び前記第二構造材のうちの一方は、前記建物ユニット又は前記壁パネルの側方へ突出し且つ端部に前記凹部を有する突出部分を形成し、
前記建物ユニットは、
土台と柱とが接続されて構成される構造体であり且つ前記柱間の壁材及び天井パネルが接合された第一建物ユニットと、
横架材と柱とが接続されて構成される構造体であり且つ前記柱間の壁材及び天井パネルが接合された第二建物ユニットと
を含み、
前記第二建物ユニットは、前記第一建物ユニットの上に設置され、
前記第一構造材は、前記第一建物ユニットと前記第二建物ユニットとの間に位置する
建物ユニット及び壁パネルの接合構造。
【請求項９】
建物の一部を構成し且つ前記建物の構造材としての第一構造材を含み、建設場所以外で予め組み立てられた建物ユニットを設置した後、前記建物の壁を構成し且つ前記建物の構造材としての第二構造材を含む壁パネルを、前記建物ユニットに接合する建物ユニット及び壁パネルの接合方法であって、
前記第一構造材及び前記第二構造材のうちの一方に形成され且つ前記建物ユニット又は前記壁パネルの側面よりも側方へ突出する突出部分の端部に設けられた凹部に、前記第一構造材及び前記第二構造材のうちの他方に形成された凸部を嵌り合わせることにより、前記第一構造材と前記第二構造材とを接合する接合工程を含む
建物ユニット及び壁パネルの接合方法。
【請求項１０】
前記接合工程では、前記第一構造材と前記第二構造材との接合と共に、前記壁パネルの底部に形成された孔内に、前記壁パネルを設置する支持部上の突起を挿入する
請求項９に記載の建物ユニット及び壁パネルの接合方法。
【請求項１１】
前記接合工程の後、前記突出部分と前記建物ユニットと前記壁パネルとで囲まれた間隙を壁部材で塞ぐ閉塞工程をさらに含む
請求項９または１０に記載の建物ユニット及び壁パネルの接合方法。
【請求項１２】
前記凸部は、側方から前記凹部内に挿入可能であり且つ上下方向に前記凹部内に挿入可能である
請求項９〜１１のいずれか一項に記載の建物ユニット及び壁パネルの接合方法。
【請求項１３】
前記建物ユニットを構成する第一建物ユニットを設置し、その後、前記建物ユニットを構成する第二建物ユニットを前記第一建物ユニットの上に設置するユニット設置工程を、前記接合工程の前にさらに含み、
前記ユニット設置工程では、前記第二建物ユニットが備える前記第一構造材と、前記第一建物ユニットとを接合し、
前記第一構造材は、前記第一建物ユニットと前記第二建物ユニットとの間に位置する
請求項９〜１２のいずれか一項に記載の建物ユニット及び壁パネルの接合方法。
【請求項１４】
建物の一部を構成し且つ前記建物の構造材としての第一構造材を含み、建設場所以外で予め組み立てられた建物ユニットを設置した後、前記建物の壁を構成し且つ前記建物の構造材としての第二構造材を含む壁パネルを、前記建物ユニットに接合する建物ユニット及び壁パネルの接合方法であって、
前記第一構造材及び前記第二構造材のうちの一方により形成され且つ側方へ突出する突出部分の端部の凹部に、前記第一構造材及び前記第二構造材のうちの他方に形成された凸部を嵌り合わせることにより、前記第一構造材と前記第二構造材とを接合する接合工程を含み、
前記建物ユニットを構成する第一建物ユニットを設置し、その後、前記建物ユニットを構成する第二建物ユニットを前記第一建物ユニットの上に設置するユニット設置工程を、前記接合工程の前にさらに含み、
前記ユニット設置工程では、前記第二建物ユニットが備える前記第一構造材と、前記第一建物ユニットとを接合し、
前記第一構造材は、前記第一建物ユニットと前記第二建物ユニットとの間に位置する
建物ユニット及び壁パネルの接合方法。
【発明の詳細な説明】
【技術分野】
【０００１】
本発明は、建物の一部を構成する建物ユニットと建物の壁パネルとの接合構造及び接合方法に関する。
【背景技術】
【０００２】
一般的に、住宅等の建物の施工の全ては、建物の建設場所で実施される。例えば、木造住宅の場合、建設場所において、コンクリート基礎の構築後、コンクリート基礎上に、住宅の骨組みを構成する柱、梁などの軸組、床、壁等の構築が行われ、その後に水廻り設備、電気設備等の住宅設備の設備工事が実施される。建設場所で設置される住宅設備は、施工精度にばらつきを生じることがあり、さらに、工期を延ばす要因となり得る。例えば、特許文献１には、浴室、トイレ、洗い場、キッチン等からなる設備ユニットを工場生産し、建設場所へ設置する技術が記載されている。設備ユニットは、分割して建設場所に運搬され、建設場所に設置され且つ互いに接合される。建設場所では、設備ユニットをコアとして、その他の玄関、居室等が在来工法によって現場施工される。
【先行技術文献】
【特許文献】
【０００３】
【特許文献１】特開平２−２３２４４５号公報
【発明の概要】
【発明が解決しようとする課題】
【０００４】
住宅等の建物の一部を構成する建物ユニットとしての設備ユニットは、建物の壁を構成すること及び建物の壁に接合されることがある。設備ユニットは、屋内での使用を前提とした浴室、トイレ、洗い場、キッチン等の設備への雨水、土埃等による汚損を抑えるために、建設場所への設置後、速やかに建物の壁等で覆われることが望ましい。
【０００５】
そこで、本発明は、建物の壁の構築を迅速にするために、建物の壁をユニット化して形成される壁パネルと建物ユニットとの接合を容易にする建物ユニット及び壁パネルの接合構造並びに接合方法を提供することを目的とする。
【課題を解決するための手段】
【０００６】
上記目的を達成するため、本発明の一態様に係る建物ユニット及び壁パネルの接合構造は、建物の一部を構成し且つ建物の構造材を含み、建設場所以外で予め組み立てられた建物ユニットと、建物の壁を構成し且つ建物の構造材を含む壁パネルとを接合する建物ユニット及び壁パネルの接合構造であって、建物ユニットが含み且つ建物の構造材を構成する第一構造材、及び壁パネルが含み且つ建物の構造材を構成する第二構造材は、互いに嵌り合うことにより第一構造材と第二構造材とを接合可能な凸部及び凹部を有し、第一構造材及び第二構造材のうちの一方は、建物ユニット又は壁パネルの側方へ突出し且つ端部に上記凹部を有する突出部分を形成する。
【０００７】
また、本発明の一態様に係る建物ユニット及び壁パネルの接合方法は、建物の一部を構成し且つ建物の構造材としての第一構造材を含み、建設場所以外で予め組み立てられた建物ユニットを設置した後、建物の壁を構成し且つ建物の構造材としての第二構造材を含む壁パネルを、建物ユニットに接合する建物ユニット及び壁パネルの接合方法であって、第一構造材及び第二構造材のうちの一方により形成され且つ側方へ突出する突出部分の端部の凹部に、第一構造材及び第二構造材のうちの他方に形成された凸部を嵌り合わせることにより、第一構造材と第二構造材とを接合する接合工程を含む。
【発明の効果】
【０００８】
本発明に係る建物ユニット及び壁パネルの接合構造等によれば、建物ユニットと壁パネルとの接合を容易にすることができる。
【図面の簡単な説明】
【０００９】
【図１】実施の形態に係る建物ユニットの外観を模式的に示す斜視図である。
【図２】図１の第一分割ユニットを水平方向に切断する断面を下方に向かう方向ＩＩで見た断面図である。
【図３】図１の第二分割ユニットを水平方向に切断する断面を下方に向かう方向ＩＩＩで見た断面図である。
【図４】実施の形態に係る壁パネルを屋内側の側方からと屋外側の側方からとで見た斜視図である。
【図５】実施の形態に係る建物ユニット及び壁パネルを使用した建物の施工フローの一例を示す図である。
【図６】実施の形態に係る建物ユニット及び壁パネルを使用して建設される建物の基礎を示す斜視図である。
【図７】図６の基礎に建物土台及び一階床を構築する状態を示す斜視図である。
【図８】図７の基礎に第一分割ユニットを据え付ける状態を示す斜視図である。
【図９】図８の第一分割ユニット上に第二分割ユニットを据え付ける状態を示す斜視図である。
【図１０】図９の建物ユニットに一階の壁パネルを接合する状態を示す斜視図である。
【図１１】第一壁パネルの突出部分と第二分割ユニットの床側横架材の接合金具との接合構造を示す斜視図である。
【図１２】図１０の一階の第一壁パネルに隣接して一階の第二壁パネルを設置する状態を示す斜視図である。
【図１３】図１２の建物ユニットに一階の第二壁パネルを接合する状態を示す斜視図である。
【図１４】図１３の一階の壁パネルの間隙を間隙閉鎖壁パネルで塞ぐ状態を示す斜視図である。
【図１５】図１４の建物の二階床を構築する状態を示す斜視図である。
【図１６】図１５の第二分割ユニットに天井側横架材を設置する状態を示す斜視図である。
【図１７】図１６の建物ユニットに二階の第一壁パネルを接合する状態を示す斜視図である。
【図１８】図１７の建物ユニットに二階の第一壁パネルを接合する状態を示す斜視図である。
【図１９】図１８の二階の壁パネルの間隙を間隙閉鎖壁パネルで塞ぐ状態を示す斜視図である。
【図２０】図１９の建物の二階天井梁を構築する状態を示す斜視図である。
【図２１】図２０の二階の壁パネル及び二階天井梁の上に、屋根の小屋組みを構築する状態を示す斜視図である。
【図２２】図２１の二階の壁パネルと屋根板との間隙に妻壁パネルを設置する状態を示す斜視図である。
【図２３】図２２の小屋組みの上に屋根パネルを敷設する状態を示す斜視図である。
【図２４】図２３の屋根パネルを裏側から見た斜視図である。
【図２５】図２４の建物の外壁の開口部を閉塞する状態を示す斜視図である。
【発明を実施するための形態】
【００１０】
以下では、本発明の実施の形態に係る建物ユニット及び壁パネルの接合構造並びに接合方法について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、ステップ（工程）、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成部材については同じ符号を付している。また、以下の実施の形態において、略同じ又は略正方形などの「略」を伴った表現を用いている。例えば、略同じは、完全に同じであることを意味するだけでなく、実質的に同じである、すなわち、例えば数％程度の差異を含むことも意味する。他の「略」を用いた表現についても同様である。
【００１２】
［実施の形態］
［建物ユニット］
本実施の形態に係る建物ユニット１の概要について、図１を用いて説明する。図１は、実施の形態に係る建物ユニット１の外観を模式的に示す斜視図である。図１を参照すると、建物ユニット１は、建物の一部を構成する。建物ユニット１を用いて建物を建設する際、建設場所に設置された建物ユニット１をコアとして、建物ユニット１の周囲に、玄関、居室等のその他の構造物が構築される。このような建物ユニット１は、建物を建設する際のコアとなるコアユニットとも呼ばれる。本実施の形態では、建物は、木造住宅であるが、一部のみが木造である非木造住宅でもよく、店舗、工場又は倉庫等の木造若しくは木造以外の非住宅でもよい。建物は、本実施の形態では、二階建てであるが、三階建て以上であってもよく、一階建てであってもよく、さらに地階を有してもよい。
【００１３】
本実施の形態に係る建物ユニット１は、住宅に必要な水廻り設備の多く及び電気設備等を集約して含むコアユニットである。水廻り設備の多くを建物ユニット１に集約することは、小型の住宅においても広い居住空間の確保を可能にする。
【００１４】
本実施の形態では、建物ユニット１は、略直方体状の外形を有し、少なくとも１つの側面が建物の外壁を構成する。建物ユニット１は、１つ以上の分割ユニット１ａによって構成されている。建物ユニット１は、例えば二階建て以上の住宅の一部を構成する。建物ユニット１は、積み上げられた複数の分割ユニット１ａによって形成され、複数の分割ユニット１ａは、互いに上下に連結及び分割可能であり、複数階の各々を構成する。本実施の形態では、建物ユニット１は、分割ユニット１ａとして、二階建て住宅の一部を構成する第一分割ユニット１０及び第二分割ユニット２０を備える。ここで、第一分割ユニット１０及び第二分割ユニット２０はそれぞれ、第一建物ユニット及び第二建物ユニットの一例である。
【００１５】
第一分割ユニット１０及び第二分割ユニット２０はそれぞれ、複数階のうちの１つの階を構成し、第二分割ユニット２０は、第一分割ユニット１０の直上階を構成する。本実施の形態では、第一分割ユニット１０は、建物の一階を構成し、第二分割ユニット２０は、建物の二階を構成する。第一分割ユニット１０は、建物の基礎４０上に配置され、基礎４０に固定される。基礎４０は、例えば、鉄筋コンクリート製の布基礎又はべた基礎であってよく、基礎４０に埋め込まれ且つ基礎４０の上面から上方に向かって突出するアンカーボルト（図示せず）を有している。アンカーボルトは、第一分割ユニット１０の柱部分の底部に設けられた柱脚金具１１に締結され、それにより、第一分割ユニット１０を基礎４０に固定する。
【００１６】
１つ以上の分割ユニット１ａの各々は、工場等の建物の建設場所以外の場所で予め組み立てられる。つまり、第一分割ユニット１０及び第二分割ユニット２０は、工場等で各種設備が予め組み込まれた工業化ユニットである。分割ユニット１ａの工場生産化は、高品質且つ高機能な分割ユニット１ａの製造を可能にし、さらに、建設場所での工期の短縮を可能にする。
【００１７】
工場で組み立てられた、つまり工場生産された第一分割ユニット１０及び第二分割ユニット２０はそれぞれ、トラックなどの運搬車両によって建設場所に運搬される。運搬された第一分割ユニット１０及び第二分割ユニット２０は、建設場所で積み重ねて設置され、互いに連結及び固定される。なお、トラックの高さ制限を満たす場合、トラックの高さ制限が存在しない場合等の運搬が可能な状況であれば、第一分割ユニット１０と第二分割ユニット２０とが、工場等で連結固定された状態で建設場所に運搬されてもよい。
【００１８】
第一分割ユニット１０及び第二分割ユニット２０はいずれも、略直方体状の外形と同等の大きさとを有している。第一分割ユニット１０及び第二分割ユニット２０の各々は、例えば、トラック等の運搬車両の荷台に載せたときに道路交通法の高さ制限を超えないような高さに設計され得る。第一分割ユニット１０及び第二分割ユニット２０の各々のサイズは、一例として、平面サイズが４６５５ｍｍ×１９２５ｍｍであり、高さが２７００ｍｍである。第一分割ユニット１０及び第二分割ユニット２０の各々は、木造軸組工法によって形成されている。具体的には、第一分割ユニット１０及び第二分割ユニット２０の各々は、複数の柱、土台、梁などの横架材、面材等によって形成される枠組みを備える。
【００１９】
［分割ユニット］
建物ユニット１を構成する第一分割ユニット１０及び第二分割ユニット２０の構成を説明する。図１を参照すると、建物ユニット１の一階を構成する第一分割ユニット１０と二階を構成する第二分割ユニット２０とはそれぞれ、例えば、木造軸組工法による軸組構造体としての建築構造体を備える。建築構造体は、柱、土台、梁などの横架材等の建材からなる軸組と、大引き等の建材からなる床組とを備える。横架材は、第一分割ユニット１０の土台等を構成し、第二分割ユニット２０の梁等を構成する。建築構造体は、工場等の建設場所以外の場所で予め組み立てられる。
【００２０】
図１及び図２を参照すると、第一分割ユニット１０の建築構造体は、矩形枠状の土台１２、土台１２上に建てられる複数の柱１３、柱１３間にわたって架け渡される面材１４、柱１３間に配置される間柱１５、土台１２に架け渡される図示しない複数の大引き、大引き上に敷設される床面材、柱１３の上部に設置される図示しない天井パネル等によって形成される。図２は、図１の第一分割ユニット１０を水平方向に切断する断面を下方に向かう方向ＩＩで見た断面図であり、第一分割ユニット１０の内部の模式的な平面図を示す図でもある。柱１３及び間柱１５は、上下方向に延在し、土台１２及び大引きは、略水平方向に延在する。土台１２及び柱１３は、建物の土台及び柱を構成する、つまり建物の構造材を構成する。ここで、面材１４は、壁材の一例である。
【００２１】
柱１３の底部には、柱１３と土台１２と大引きとを互いに連結する柱脚金具１１が取り付けられる。なお、本実施の形態では、第一分割ユニット１０は、天井側の梁、具体的には、胴差し及び二階床梁を備えない。そして、第一分割ユニット１０の上に第二分割ユニット２０を設置したときには、第一分割ユニット１０の複数の柱１３の上部には、第二分割ユニット２０の床側に配置された胴差し及び二階床梁を構成する床側横架材２２が、第一分割ユニット１０の天井側の梁等を兼ねて、接続される。本実施の形態では、土台１２、柱１３、面材１４、間柱１５及び図示しない大引き等の建材は、木材である。本実施の形態では、面材１４は、第一分割ユニット１０の壁の内側及び外側に配置されるが、いずれか一方のみでもよい。
【００２２】
図１及び図３を参照すると、第二分割ユニット２０の建築構造体は、床側横架材２２、複数の柱２３、柱２３間にわたって架け渡される面材２４、柱２３間に配置される間柱２５、柱２３の上部に配置される天井側横架材２６、床側横架材２２上に設置される図示しない床材、柱２３の上部に設置される図示しない天井パネル等によって形成される。床材は、第一分割ユニット１０と同様に、床面材等から構成されてもよい。図３は、図１の第二分割ユニット２０を水平方向に切断する断面を下方に向かう方向ＩＩＩで見た断面図であり、第二分割ユニット２０の内部の模式的な平面図を示す図でもある。図３は、後述する突出床側横架材２２ａ及び２２ｂを省略して描かれている。柱２３及び間柱２５は、上下方向に延在し、床側横架材２２及び天井側横架材２６は、略水平方向に延在する。床側横架材２２は、胴差し及び二階床梁等によって構成され、天井側横架材２６は、二階天井梁等によって構成される。床側横架材２２及び天井側横架材２６は、建物の梁つまり構造材を構成し、柱２３は、建物の柱つまり構造材を構成する。ここで、面材２４は、壁材の一例である。
【００２３】
床側横架材２２は、複数の柱２３の下部を互いに繋ぎ、天井側横架材２６は、複数の柱２３の上部を互いに繋ぐ。本実施の形態では、柱２３は、床側横架材２２の上に配置され、天井側横架材２６は、柱２３の上端に配置される。なお、床側横架材２２及び天井側横架材２６は、柱２３の側部に配置されてもよい。床側横架材２２の底部には、床側横架材２２と第一分割ユニット１０の柱１３とを互いに連結する図示しない連結金具が取り付けられる。なお、連結金具は、建物の建設場所以外の場所で予め柱２３に取り付けられてもよく、建設場所で柱２３に取り付けられてもよい。
【００２４】
床側横架材２２のうちの２つの突出床側横架材２２ａ及び２２ｂの一部は、第二分割ユニット２０の側方に突出している。本実施の形態では、突出床側横架材２２ａ及び２２ｂは、矩形状の断面を有する長尺な角材によって形成されている。なお、側方とは、第二分割ユニット２０等の上下方向と交差する方向である。突出床側横架材２２ａ及び２２ｂはそれぞれ、矩形状の平面形状を有する第二分割ユニット２０の長手側の２つの側部２０ａ及び２０ｂに沿って延在し、短手側の一方の側部２０ｃから側部２０ｃに略垂直な方向に突出している。突出床側横架材２２ａ及び２２ｂは、第二分割ユニット２０の側部２０ｃの両角に位置する２つの柱２３から突出するように延在している。ここで、床側横架材２２及び突出床側横架材２２ａ並びに天井側横架材２６は、第一構造材の一例であり、突出床側横架材２２ａは、突出部分の一例である。
【００２５】
本実施の形態では、突出床側横架材２２ａは、建物の外側に位置して胴差しを構成し、突出床側横架材２２ｂは、建物の内側に位置して二階床梁を構成する。突出床側横架材２２ｂの側面には、複数の接合金具２７が、突出床側横架材２２ｂから突出するように取り付けられている。接合金具２７は、突出床側横架材２２ｂと建物の梁等とを接合する。接合金具２７は、突出床側横架材２２ｂの側面上で、突出床側横架材２２ｂと柱２３との交差部分に対応する位置に配置され得る。本実施の形態では、床側横架材２２、柱２３、面材２４、間柱２５及び天井側横架材２６等の建材は、木材である。本実施の形態では、面材２４は、第二分割ユニット２０の壁の内側及び外側に配置されるが、いずれか一方のみでもよい。ここで、接合金具２７は、凸部の一例である。
【００２６】
［設備］
図１〜図３を参照すると、本実施の形態では、建物ユニット１は、設備を備える。設備は、具体的には、住宅設備であり、例えば、水廻り設備、電気設備、空調換気設備、内装等を含んでいる。各設備は、建物ユニット１を構成する１つ以上の分割ユニット１ａの少なくとも１つに、建設場所以外で予め設置されている。
【００２７】
水廻り設備は、例えば、バス（浴室）、トイレ、洗面台及びキッチンの少なくとも１つを含む。水廻り設備は、さらに、給湯器（給湯システム）を含んでもよく、天井裏、床下又は壁内に形成されたパイプスペースに設置される排水管、給水管及び給湯管などの配管等を含んでもよい。
【００２８】
本実施の形態では、第一分割ユニット１０の内部に、トイレ３１と洗面台３２とが設置されている。さらに、第一分割ユニット１０の内部には、設備機器の配置が可能なスペース３３が設けられている。スペース３３には電源コンセントが配置されており、スペース３３は、例えば、食品を貯蔵する冷蔵庫等が設置されるパントリとして利用可能である。第二分割ユニット２０の内部に、トイレ３１と洗面台３２とユニットバス３４とが設置されている。また、図示しないが、各種配管が、第一分割ユニット１０と第二分割ユニット２０との間のスペースなどに配置されている。
【００２９】
電気設備は、例えば、分電盤、インターホン、情報盤、各種設備機器を操作するための操作盤、創蓄連携機器（創蓄連携システム）、及び照明等の設備機器を含んでもよい。電気設備は、さらに、スイッチ、コンセント、並びに情報配線及び電気配線等の配線設備を含んでもよい。分電盤、インターホン、情報盤、操作盤、創蓄連携機器、スイッチ、コンセント等は、屋内に配置され得る。各種配線は、天井裏、床下又は壁内に配置され得る。
【００３０】
空調換気設備は、例えば、室内に設置されるエアコンなどの空調室内機、天井裏などに設置される熱交換器、換気扇等を含み得る。空調換気設備は、さらに、パイプスペースに設置されるダクトなどの各種配管を含んでもよい。
【００３１】
内装は、建物ユニット１内の床、壁、天井などに施された仕上げ材、建具、収納具等を含み得る。
【００３２】
なお、上述の各設備の数量及び配置等は、一例に過ぎず、特に限定されない。例えば、本実施の形態では、第一分割ユニット１０と第二分割ユニット２０との両方が水廻り設備を備える構成を例示しているが、第一分割ユニット１０及び第二分割ユニット２０の一方のみが水廻り設備を備えてもよい。
【００３３】
［壁パネル］
本実施の形態では、建物ユニット１は、建物の外壁の一部を構成する。建物のその他の外壁は、柱、梁などの横架材、壁用の面材等を組み込んでユニット化された複数の壁パネルによって構成される。図４を参照すると、本実施の形態に係る壁パネル５０が示されている。なお、図４は、実施の形態に係る壁パネル５０を屋内側の側方からと屋外側の側方からとで見た斜視図である。
【００３４】
本実施の形態では、壁パネル５０は、建物の各階の外壁に使用される。壁パネル５０は、矩形状の平面形状をしたパネルを形成する。壁パネル５０は、上下方向に延在する柱５３、柱５３の上部を互いに繋ぎ且つ略水平方向に延在する横架材５２、柱５３間にわたって架け渡される面材５４、柱５３間又は柱５３の側方に配置され且つ上下方向に延在する間柱５５、及び、柱５３の下部を互いに繋ぎ且つ略水平方向に延在する連結材５６等によって、形成される。壁パネル５０は、建設場所以外の工場等で予め製作されてもよく、建設場所で製作されてもよい。柱５３は、建物の柱を構成し、横架材５２は、胴差し、二階天井梁等の梁を構成し得る。つまり、柱５３及び横架材５２は、建物の構造材を構成する。
【００３５】
横架材５２は、柱５３の上部側面又は上端面と接合され得る。図４に示す例では、壁パネル５０は、複数の柱５３を含むが、１つの柱５３のみを含んでもよい。さらに、図４に示す例では、１つの柱５３が、壁面の両側部に位置する壁パネル５０の２つの側縁部の一方を構成しているが、これに限定されない。なお、壁パネル５０の側縁部は、壁面の両側部に位置する壁パネル５０の端面及び壁面における上記端面の近傍部位を含み得る。間柱５５は、面材５４の屋内側の表面５４ａ上に配置される。壁パネル５０は、面材５４の屋外側の表面上に配置及び固定される保護材５７を備えてもよい。保護材５７は、断熱材、透湿防水シート等を含んでよい。壁パネル５０において、窓、玄関、換気口等のための開口部が、面材５４及び間柱５５等を貫通して形成され得る。
【００３６】
柱５３の上端面又は横架材５２の上面には、連結金具５８が埋め込まれている。連結金具５８は、柱５３の上端面又は横架材５２の上面から上方に棒状に突出している。柱５３の上端面の連結金具５８は、柱５３と略同軸上に配置される。横架材５２の上面の連結金具５８は、横架材５２の下の各柱５３の上方に配置され、且つ各柱５３と略同軸上に配置される。各柱５３の下端面には、係合孔５３ａが形成され、係合孔５３ａは、柱５３の軸方向に延び且つ柱５３と略同軸上に配置される。係合孔５３ａは、建物土台４１（図７参照）に埋め込まれた連結金具４３（図７参照）の棒状の突出部分全体が挿入可能な形状及び寸法を有している。さらに、係合孔５３ａには、壁パネル５０の連結金具５８の棒状の突出部分全体も挿入可能である。なお、建物土台４１は、建物の基礎４０から突出するアンカーボルトと固定されて基礎４０上に設置され、その上部に設置される壁パネル５０等を支持する。ここで、連結金具４３及び５８は、突起の一例である。
【００３７】
横架材５２及び柱５３には、複数の接合金具５９が、これらから側方に突出するように取り付けられている。接合金具５９は、接合金具５９が設けられている壁パネル５０と他の壁パネル５０とを接続する、又は、接合金具５９が設けられている壁パネル５０と建物ユニット１とを接続する、又は、接合金具５９が設けられている壁パネル５０と建物の横架材とを接続する。接合金具５９は、横架材５２及び柱５３の屋内側の側面における横架材５２及び柱５３の交差部分に対応する位置に配置され得る。接合金具５９は、壁パネル５０の側縁部に位置する横架材５２の側方端面、又は柱５３の側方側面にも配置され得る。なお、図４に示す例では、柱５３は、壁パネル５０の２つの側縁部の一方を構成する。横架材５２の側方端面及び柱５３の側方側面は、壁パネル５０の２つの側縁部の端面を形成する。ここで、接合金具５９は、凸部の一例である。
【００３８】
本実施の形態では、壁パネル５０に含まれる横架材５２、柱５３、面材５４、間柱５５、連結材５６等の建材は、木材である。そして、壁パネル５０の保護材５７の上に、建物の外壁の意匠を構成する外壁材が、施される。壁パネル５０に含まれる横架材５２、柱５３、面材５４、間柱５５、連結材５６、連結金具５８、接合金具５９等の数量、形状、寸法及び位置は、壁パネル５０が適用される場所に応じて任意に変更され得る。
【００３９】
上述のような壁パネル５０は、本実施の形態では、建物の各階の外壁を形成する。つまり、１つの壁パネル５０は、建物の一階又は二階のいずれかにわたる高さを有する。複数の壁パネル５０は、側方で互いに接合されることにより、建物の一階又は二階の外壁を形成する。また、複数の壁パネル５０は、上下に互いに接合されることにより、建物の一階及び二階の外壁を形成する。なお、壁パネル５０の構成は、上記構成に限定されず、１つの壁パネルが高さ方向で建物の複数階にわたる構成であってもよく、１つの壁パネルが高さ方向で各階の一部にわたる構成であってもよい。
【００４０】
［建物の施工］
次に、建物ユニット１及び壁パネル５０を使用して建設される建物の施工方法の一例を、説明する。以下では、建物の施工方法の流れを示す図５を中心に参照しつつ、その他の図を用いて説明する。図５は、実施の形態に係る建物ユニット１及び壁パネル５０を使用した建物の施工フローの一例を示す図である。なお、建物の施工方法は、図５に示す施工フローに限定されるものでない。
【００４１】
図５及び図６を参照すると、建物の施工において、まず、建物の基礎４０の構築（工程Ｓ１）が実施される。図６は、実施の形態に係る建物ユニット１及び壁パネル５０を使用して建設される建物の基礎４０を示す斜視図である。基礎４０は、例えば、鉄筋コンクリート製である。基礎４０は、整形された地盤上に敷設された砕石層の上に構築される。基礎４０は、工場生産されたブロックを砕石層上に配置することによって形成されてもよく、砕石層上の型枠内に未硬化のコンクリートを打設する現場打ちコンクリートによって形成されもよい。基礎４０は、布基礎又はべた基礎の構成をとってよく、この場合、建物の土台等が設置される立ち上がり部分４０ａを上方に突出して形成する。
【００４２】
図５及び図７を参照すると、基礎４０の構築後、建物土台４１及び一階床４２の構築（工程Ｓ２）が実施される。一階床４２は、建物ユニット１を設置しない部分に構築される。図７は、図６の基礎４０に建物土台４１及び一階床４２を構築する状態を示す斜視図である。枠状の建物土台４１が、基礎４０の立ち上がり部分４０ａの上面の上に設置され、立ち上がり部分４０ａに固定される。本実施の形態では、建物土台４１は、木材によって形成されるが、これに限定されない。建物土台４１は、建物の柱、壁及び床等を支持する。さらに、設置後の建物土台４１を使用して、一階床４２の構築が実施される。この際、一階床４２の複数の大引き４２ａが、建物土台４１に架け渡すように設置され、さらにその上に、床面材４２ｃが設置される。一階床４２上の荷重は、床面材４２ｃ、大引き４２ａ及び建物土台４１を介して、基礎４０によって支持される。本実施の形態では、大引き４２ａ及び床面材４２ｃは、木材によって形成されるが、これに限定されない。ここで、建物土台４１は、支持部の一例である。
【００４３】
また、建物土台４１は、図示しない複数のアンカーボルトと固定される。アンカーボルトは、建物土台４１と固定される部分を上方に残して、基礎４０の立ち上がり部分４０ａの内部に至り、基礎４０に固定される。アンカーボルトは、基礎４０の構築後に設置されずに、基礎４０のコンクリートの打設の際に基礎４０に埋め込まれてもよい。アンカーボルトは、建物土台４１より上方に突出する部分にネジ留めされて、建物土台４１と係合し、建物土台４１等を位置決めすると共に固定する。また、建物ユニット１と接続される配線、配管等の接続要素４４が、基礎４０内に配置される。
【００４４】
図５と、図１、図２、図８とを参照すると、建物土台４１及び一階床４２の構築後、建物ユニット１のうちの第一分割ユニット１０の基礎４０への据え付け（工程Ｓ３）が、実施される。図８は、図７の基礎４０に第一分割ユニット１０を据え付ける状態を示す斜視図である。なお、以降の図では、第一分割ユニット１０の壁の外側に配置される面材１４が省略されている。建物の建設場所に運搬された第一分割ユニット１０は、建設場所に配置された移動式クレーン等の吊り上げ装置によって吊り上げられ、さらに基礎４０の所定の位置へ移動されて吊り下ろされる。この際、第一分割ユニット１０の土台１２が、基礎４０の立ち上がり部分４０ａの上面の上に載置される。さらに、基礎４０の立ち上がり部分４０ａの上面から突出する図示しないアンカーボルトが、土台の１２の柱脚金具１１を通り、柱脚金具１１とネジ留めにより締結される。これにより、第一分割ユニット１０が基礎４０に固定される。
【００４５】
図５と、図１、図２、図３、図９とを参照すると、第一分割ユニット１０の据え付け後、建物ユニット１のうちの第二分割ユニット２０の第一分割ユニット１０上への据え付け（工程Ｓ４）が、実施される。図９は、図８の第一分割ユニット１０上に第二分割ユニット２０を据え付ける状態を示す斜視図である。なお、以降の図では、第二分割ユニット２０の壁の外側に配置される面材２４が省略されている。建物の建設場所に運搬された第二分割ユニット２０は、移動式クレーン等の吊り上げ装置によって吊り上げられ、さらに第一分割ユニット１０の上方へ移動されて吊り下ろされる。この際、第二分割ユニット２０の床側横架材２２が、第一分割ユニット１０の柱１３上に載置される。さらに、床側横架材２２の図示しない連結金具を用いて、床側横架材２２と柱１３とが固定される。床側横架材２２の突出床側横架材２２ａ及び２２ｂは、建物の内部に向かって突出する。なお、現時点では、第二分割ユニット２０の上部には、天井側横架材２６が取り付けられていない。
【００４６】
図５と、図４、図１０とを参照すると、第二分割ユニット２０の据え付け後、第一分割ユニット１０に隣り合う位置への一階の壁パネル５０の設置、つまり建物ユニット１への一階の壁パネル５０の接合（工程Ｓ５）が、実施される。図１０は、図９の建物ユニット１に一階の壁パネル５０を接合する状態を示す斜視図である。建物で使用される壁パネル５０は、第一壁パネル５０１と第二壁パネル５０２（図１２参照）と間隙閉鎖壁パネル５０３（図１４参照）とによって構成されている。第二壁パネル５０２の構成は、図４に示す壁パネル５０と同様である。間隙閉鎖壁パネル５０３の構成は、図４に示す壁パネル５０から横架材５２を除去した構成であり、柱５３を含まない場合もある。第一壁パネル５０１の構成は、横架材５２が第一壁パネル５０１の一方の側縁部５０１ａよりも側方に突出している点で図４に示す壁パネル５０と異なるが、その他の点に関しては、壁パネル５０の構成と同様である。本工程では、第一壁パネル５０１が使用される。そして、第一壁パネル５０１が、第二分割ユニット２０の床側横架材２２の接合金具２７と接続される。ここで、間隙閉鎖壁パネル５０３は、壁部材の一例である。
【００４７】
図１０及び図１１を参照すると、第一壁パネル５０１の横架材５２は、第一壁パネル５０１の一方の側縁部５０１ａよりも側方に突出する突出部分５２ａを一体に含む。突出部分５２ａは、本実施の形態では、矩形状の断面を有する長尺な角材によって形成される横架材５２の一部である。図１１は、第一壁パネル５０１の突出部分５２ａと第二分割ユニット２０の床側横架材２２の接合金具２７との接合構造を示す斜視図である。突出部分５２ａの先端の端面５２ａａには、凹部５２ｂが形成されている。第一壁パネル５０１は、側縁部５０１ａと反対側の側縁部５０１ｂ又はその付近における横架材５２の位置に、接合金具５９を有している。接合金具５９は、後述で詳細を説明する接合金具２７と同様の構成を有している。ここで、横架材５２は、第二構造材の一例である。
【００４８】
凹部５２ｂは、端面５２ａａから突出部分５２ａの軸方向に窪む。本実施の形態では、凹部５２ｂは、上下方向に延在する矩形溝状の形状を有している。凹部５２ｂは、突出部分５２ａの端面５２ａａ、上面５２ａｂ及び下面５２ａｃで開口している。凹部５２ｂは、突出部分５２ａの軸方向の底部に２つの溝５２ｃａを含んでいる。溝５２ｃａは、凹部５２ｂの底部から突出部分５２ａの軸方向に窪み、上下方向に延在して突出部分５２ａの上面５２ａｂ及び下面５２ａｃで開口している。また、突出部分５２ａの側面５２ａｄには、側面５２ａｄからこれに対向する側面５２ａｅにわたって突出部分５２ａを貫通する複数の貫通孔５２ｃが形成されている。本実施の形態では、３つの貫通孔５２ｃが形成されている。貫通孔５２ｃは、２つの溝５２ｃａを通って延在する。
【００４９】
接合金具２７は、金属製の板材をＵ字状に曲げて形成される形状を有している。接合金具２７におけるＵ字の底部に相当する底部２７ａが床側横架材２２に固定される。接合金具２７におけるＵ字の側部に相当する２つの板状の側部２７ｂ及び２７ｃが、床側横架材２２から側方に突出し、上下方向に延在している。側部２７ｂ及び２７ｃは、凹部５２ｂの２つの溝５２ｃａ内に挿入可能である。側部２７ｂ及び２７ｃにはそれぞれ、複数の貫通孔２７ｄが形成されている。本実施の形態では、側部２７ｂ及び２７ｃそれぞれに、３つの貫通孔２７ｄが形成されている。
【００５０】
側部２７ｂ及び２７ｃそれぞれにおける貫通孔２７ｄの数量は、突出部分５２ａの貫通孔５２ｃの数量と同一である。側部２７ｂ及び２７ｃそれぞれの貫通孔２７ｄは、接合金具２７の側部２７ｂ及び２７ｃが凹部５２ｂの２つの溝５２ｃａ内に挿入されたとき、貫通孔５２ｃと位置が整合するように配置されている。
【００５１】
接合金具２７の側部２７ｂ及び２７ｃが、凹部５２ｂの２つの溝５２ｃａ内に挿入され、互いに位置整合する貫通孔５２ｃ及び貫通孔２７ｄを通ってピン２７ｅが挿入されると、接合金具２７と突出部分５２ａとが互いに固定される。これにより、接合金具２７と突出部分５２ａとが接合される。このとき、突出部分５２ａの端面５２ａａは、床側横架材２２に当接し得る。さらに、突出部分５２ａは、床側横架材２２と略垂直に延在してもよい。また、接合金具２７の側部２７ｂ及び２７ｃの凹部５２ｂの溝５２ｃａへの挿入は、突出部分５２ａの端面５２ａａから、上面５２ａｂから及び下面５２ａｃからのいずれからも可能である。
【００５２】
図４、図１０及び図１１を参照すると、第一壁パネル５０１は、設置される際に、移動式クレーン等の吊り上げ装置によって、第一分割ユニット１０に隣り合う位置に吊り下ろされる。このとき、第二分割ユニット２０の床側横架材２２の接合金具２７は、第一壁パネル５０１の突出部分５２ａの下面５２ａｃから凹部５２ｂ内に挿入される。上記挿入と並行して、第一壁パネル５０１の柱５３の下端面の係合孔５３ａに、建物土台４１に固定された棒状の連結金具４３が挿入される。次いで、接合金具２７と突出部分５２ａとの接続、及び、連結金具４３と柱５３との接続が行われる。これにより、第一壁パネル５０１が、建物土台４１に対して位置決めされると共に、建物土台４１及び建物ユニット１に固定及び接合される。この結果、第一壁パネル５０１と第一分割ユニット１０との間には、第一壁パネル５０１の側縁部５０１ａ、突出部分５２ａ及び第一分割ユニット１０によって囲まれる空洞である間隙６１が、形成される。
【００５３】
このように、第一壁パネル５０１の建物ユニット１に結合する部分は、横架材５２が側方へ突出し、この突出した部分の下側には面材５４や連結材５６を有さないパネル構成を用いる。これは、あらかじめ接合金具２７が設けられた建物ユニット１に対して、第一壁パネル５０１を結合する必要があるためである。すなわち、第一壁パネル５０１を吊り下ろすときは、柱５３に連結金具４３が挿入されるように略垂直に下ろす必要がある。しかし、第二壁パネル５０２と同様に、突出した部分の下側に面材５４や連結材５６を有すると、この面材５４や連結材５６の下端部が接合金具２７に衝突し、吊り下ろすことができなくなる。そのため、横架材５２が側方へ突出し、この突出した部分の下側には面材５４を有さない第一壁パネル５０１を用いる必要がある。また、突出部分５２ａの下側に面材５４が設けられていないため、第一壁パネル５０１の吊り下ろしの際、建物ユニット１に接触し得るものを、突出部分５２ａのみに制限することができる。このため、第一壁パネル５０１と建物ユニット１との接触による互いの損傷の発生が抑えられる。特に、建物ユニット１は、各種設備及び内装等を備え得るため、衝撃が与えられないことが望ましい。
【００５４】
図５と、図４、図１２とを参照すると、建物ユニット１への一階の第一壁パネル５０１の接合後、一階の第二壁パネル５０２の設置（工程Ｓ６）が、実施される。図１２は、図１０の一階の第一壁パネル５０１に隣接して一階の第二壁パネル５０２を設置する状態、つまり、一階の第一壁パネル５０１に一階の第二壁パネル５０２接合する状態を示す斜視図である。第二壁パネル５０２は、第一壁パネル５０１に隣接するように、移動式クレーン等の吊り上げ装置を用いて、設置される。第二壁パネル５０２は、一方の側縁部５０２ａに第一壁パネル５０１の凹部５２ｂと同様の構成を有する凹部５２ｄを有し、他方の側縁部５０２ｂに接合金具５９を有している。凹部５２ｄの構成は、下方に開口していない点で凹部５２ｂの構成と異なるように設けることもできる。第二壁パネル５０２は、柱５３の係合孔５３ａに建物土台４１の連結金具４３を挿入しつつ、凹部５２ｄ内に第一壁パネル５０１の接合金具５９を嵌め込むようにして、据え付けられる。さらに、第二壁パネル５０２は、接合金具５９での接続、及び、連結金具４３と柱５３との接続が行われることによって、建物土台４１に対して位置決めされると共に、建物土台４１及び第一壁パネル５０１に固定及び接合される。さらに、別の第二壁パネル５０２が、設置完了した第二壁パネル５０２に隣接して据え付けられ且つ接合される。複数の第二壁パネル５０２の据え付け及び接合を繰り返すことによって、建物の一階の外壁が形成される。
【００５５】
図５と、図１、図４、図１３とを参照すると、一階の複数の第二壁パネル５０２の設置後、第一分割ユニット１０に隣り合う位置への一階の第二壁パネル５０２の設置、つまり、建物ユニット１への一階の第二壁パネル５０２の接合（工程Ｓ７）が、実施される。図１３は、図１２の建物ユニット１に一階の第二壁パネル５０２を接合する状態を示す斜視図である。本工程では、第二壁パネル５０２は、第二分割ユニット２０の床側横架材２２の突出床側横架材２２ａと接合される。突出床側横架材２２ａの先端の端面には、第一壁パネル５０１の突出部分５２ａの凹部５２ｂと同様の構成を有する凹部２２ｃが、形成されている。凹部２２ｃには、接合金具２７及び５９が、上方、下方、及び突出床側横架材２２ａの端面に対向する側方のいずれからも挿入可能である。
【００５６】
第二壁パネル５０２は、突出床側横架材２２ａに隣接するように、移動式クレーン等の吊り上げ装置を用いて、設置される。第二壁パネル５０２は、柱５３の係合孔５３ａに建物土台４１と固定された連結金具４３を挿入しつつ、側縁部５０２ｂの接合金具５９を突出床側横架材２２ａの凹部２２ｃ内に上方から挿入するように、据え付けられる。さらに、第二壁パネル５０２は、接合金具５９での接続、及び、連結金具４３と柱５３との接続が行われることによって、建物土台４１に対して位置決めされると共に、建物土台４１及び突出床側横架材２２ａつまり建物ユニット１に固定及び接合される。この結果、第二壁パネル５０２と第一分割ユニット１０との間には、第二壁パネル５０２の側縁部５０２ｂ、突出床側横架材２２ａ及び第一分割ユニット１０によって囲まれる空洞である間隙６２が、形成される。
【００５７】
このように、建物ユニット１の第二壁パネル５０２に結合する部分は、突出床側横架材２２ａが側方へ突出し、この突出した部分の上側には面材２４を有さない建物ユニット１を用いる。これは、あらかじめ接合金具５９が設けられた第二壁パネル５０２を、建物ユニット１に結合する必要があるためである。すなわち、第二壁パネル５０２を吊り下ろすときは、柱５３に連結金具４３が挿入されるように略垂直に下ろす必要がある。しかし、突出床側横架材２２ａの突出した部分の上側に面材２４を有すると、この面材２４と接合金具５９とが衝突し、吊り下ろすことができなくなる。そのため、突出床側横架材２２ａが側方へ突出し、この突出した部分の上側には面材２４を有さない建物ユニット１を用いる必要がある。
【００５８】
また、第二壁パネル５０２の吊り下ろしの際、第二壁パネル５０２は、突出床側横架材２２ａに接近し接触し得るが、建物ユニット１から離れて位置する。このため、第二壁パネル５０２と建物ユニット１との接触による互いの損傷の発生が抑えられる。
【００５９】
また、本工程では、第二壁パネル５０２の側縁部５０２ａに隣接する位置に、他の第二壁パネル５０２が設置されていない。これにより、第二壁パネル５０２の設置のための作業スペースが広く確保されるため、第二壁パネル５０２と建物ユニット１との接触を抑えた作業が容易になる。
【００６０】
図５と、図２、図４、図１４とを参照すると、建物ユニット１への一階の第二壁パネル５０２の接合後、一階の間隙６１及び６２への間隙閉鎖壁パネル５０３の設置（工程Ｓ８）が、実施される。図１４は、図１３の一階の壁パネル５０の間隙６１及び６２を間隙閉鎖壁パネル５０３で塞ぐ状態を示す斜視図である。２つの間隙閉鎖壁パネル５０３が、第一壁パネル５０１と第一分割ユニット１０との間の間隙６１と、第二壁パネル５０２と第一分割ユニット１０との間の間隙６２とに嵌めこまれ、間隙６１及び６２を塞ぐ。図１４に示す例では、間隙６１は、第一壁パネル５０１の柱５３と第一分割ユニット１０の角の柱１３との間の間隙であり、間隙６２は、第二壁パネル５０２の柱５３と第一分割ユニット１０の角の柱１３との間の間隙である。このため、間隙閉鎖壁パネル５０３は、柱を含まず軽量にすることができる。よって、間隙閉鎖壁パネル５０３の設置は、人力でも可能となる。また、本工程では、図１３で形成されていた第二壁パネル５０２間の間隙に、第二壁パネル５０２が設置される。これにより、建物の一階の外壁の設置が完了する。
【００６１】
図５と、図１５とを参照すると、建物の一階の外壁の設置完了後、二階床７０の構築（工程Ｓ９）が、実施される。図１５は、図１４の建物の二階床７０を構築する状態を示す斜視図である。一階柱７３が、建物土台４１の連結金具４３の位置に建てられ、連結金具４３と接続される。次いで、複数の二階床梁７１が、壁パネル５０の横架材５２間、及び、壁パネル５０の横架材５２と第二分割ユニット２０の床側横架材２２との間を架け渡すように、格子状に設置される。二階床梁７１は、端部に第一壁パネル５０１の突出部分５２ａの凹部５２ｂと同様の構成を有する凹部を有し、壁パネル５０の接合金具５９及び床側横架材２２の接合金具２７と接合される。また、一階柱７３は、二階床梁７１の交差部分等で二階床梁７１を支持する。さらに、設置後の二階床梁７１上に、床面材７２（図１６参照）が設置される。これにより、二階床７０が構築される。
【００６２】
図５と、図１６とを参照すると、二階床７０の構築完了後、第二分割ユニット２０の上部への天井側横架材２６の設置（工程Ｓ９）が、実施される。図１６は、図１５の第二分割ユニット２０に天井側横架材２６を設置する状態を示す斜視図である。天井側横架材２６は、第二分割ユニット２０の上部の形状に整合する所定の形状に組み立てられた状態で、第二分割ユニット２０の柱２３の上端に載置される。例えば、天井側横架材２６は、矩形枠状の形状を有する。さらに、本実施の形態では、天井側横架材２６は、床側横架材２２の突出床側横架材２２ａのような側方への突出部分を有していない。載置された天井側横架材２６は、接続用金具、留め金具等を用いて、柱２３と接合される。天井側横架材２６の外周には、複数の接合金具２７が取り付けられている。さらに、天井側横架材２６の上部では、天井側横架材２６に埋め込まれた棒状の連結金具２９が突出している。
【００６３】
図５と、図４、図１７とを参照すると、天井側横架材２６の設置後、第二分割ユニット２０に隣り合う位置への二階の第一壁パネル５０１の設置、つまり、第二分割ユニット２０への二階の第一壁パネル５０１の接合（工程Ｓ１１）が、実施される。図１７は、図１６の建物ユニット１に二階の第一壁パネル５０１を接合する状態を示す斜視図である。二階の第一壁パネル５０１の突出部分５２ａの凹部５２ｂが、第二分割ユニット２０の天井側横架材２６の接合金具２７と接続され、二階の第一壁パネル５０１の柱５３が、一階の第一壁パネル５０１の連結金具５８を介して、一階の第一壁パネル５０１の横架材５２及び柱５３と接合される。また、間隙６１が、第二分割ユニット２０、二階の第一壁パネル５０１及び突出部分５２ａに囲まれるように、形成される。上記の二階の第一壁パネル５０１の接合構造及び接合動作は、工程Ｓ５で説明した一階の第一壁パネル５０１の接合構造及び接合動作と同様であるため、説明を省略する。ここで、横架材５２及び柱５３は、支持部の一例である。
【００６４】
図５と、図４、図１８とを参照すると、第二分割ユニット２０への二階の第一壁パネル５０１の接合後、建物の二階の外壁を形成するために、複数の二階の第二壁パネル５０２の設置（工程Ｓ１２）が、工程Ｓ６と同様に実施される。次いで、第二分割ユニット２０に隣り合う位置への二階の第一壁パネル５０１の設置、つまり、第二分割ユニット２０への二階の第一壁パネル５０１の接合（工程Ｓ１３）が、工程Ｓ５及びＳ１１と同様に実施される。図１８は、図１７の建物ユニット１に二階の第一壁パネル５０１を接合する状態を示す斜視図である。工程Ｓ１２では、設置される二階の第二壁パネル５０２の凹部５２ｄは、二階の第一壁パネル５０１の接合金具５９、又は、他の二階の第二壁パネル５０２の接合金具５９と接続され、設置される二階の第二壁パネル５０２の柱５３は、一階の壁パネル５０の連結金具５８を介して、一階の壁パネル５０の横架材５２及び柱５３と接続される。工程Ｓ１３では、二階の第一壁パネル５０１の突出部分５２ａの凹部５２ｂが、第二分割ユニット２０の天井側横架材２６の接合金具２７と接続され、二階の第一壁パネル５０１の柱５３が、一階の第二壁パネル５０２の連結金具５８を介して、一階の第二壁パネル５０２の横架材５２及び柱５３と接合される。また、間隙６２が、第二分割ユニット２０、二階の第一壁パネル５０１及び突出部分５２ａに囲まれるように、形成される。上記の二階の第一壁パネル５０１及び第二壁パネル５０２の接合構造及び接合動作は、工程Ｓ５及びＳ６で説明した一階の第一壁パネル５０１及び第二壁パネル５０２の接合構造及び接合動作と同様であるため、説明を省略する。
【００６５】
図５と、図１９とを参照すると、次いで、二階の間隙６１及び６２への間隙閉鎖壁パネル５０３の設置（工程Ｓ１４）が、実施される。図１９は、図１８の二階の壁パネル５０の間隙６１及び６２を間隙閉鎖壁パネル５０３で塞ぐ状態を示す斜視図である。２つの間隙閉鎖壁パネル５０３が、工程Ｓ８と同様にして、二階の間隙６１及び６２を塞ぐ。さらに、第二壁パネル５０２が、図１８に示される二階の第一壁パネル５０１と第二壁パネル５０２との間隙に設置される。これにより、建物の二階の外壁の設置が完了する。
【００６６】
図５と、図２０とを参照すると、建物の二階の外壁の設置完了後、二階天井梁８０の構築（工程Ｓ１５）が、実施される。図２０は、図１９の建物の二階天井梁８０を構築する状態を示す斜視図である。二階柱８１が、二階床７０上に建てられ、次いで、複数の二階天井梁８０が、二階の壁パネル５０の横架材５２間、及び、二階の壁パネル５０の横架材５２と第二分割ユニット２０の天井側横架材２６との間を架け渡すように、格子状に設置される。二階柱８１は、二階天井梁８０の交差部分等で二階天井梁８０を支持する。二階天井梁８０及び二階柱８１の構成及びその設置方法は、工程Ｓ９での二階床梁７１及び一階柱７３の構成及びその設置動作と同様である。なお、二階天井梁８０は、後述する屋根の小屋組みの一部を構成する小屋梁とも呼ばれる。
【００６７】
二階天井梁８０の構築後、屋根９０の構築（工程Ｓ１６）が、実施される。具体的には、図２１に示されるように、二階の壁パネル５０の横架材５２及び二階天井梁８０の上に、屋根の骨組みを構成する小屋組み９１が、まず構築される。小屋組み９１は、屋根を支持する梁としての母屋、母屋を支持する柱としての小屋束等の部材から構成される。小屋束は、天井側横架材２６の連結金具２９及び二階の壁パネル５０の連結金具５８等に固定され得る。次いで、図２２に示されるように、二階の壁パネル５０と屋根板との間隙に壁を形成するために、複数の妻壁パネル９２が設置される。妻壁パネル９２は、例えば、後述する屋根パネル９３のように、面材、及び面材を補強する垂木等から構成される。
【００６８】
その後、図２３に示すように、屋根板としての複数の屋根パネル９３が、建物の上方への開口を塞ぐように、小屋組み９１の母屋の上に敷設される。裏側から見た屋根パネル９３の斜視図を示す図２４に示すように、屋根パネル９３は、野地板としての面材９３ａと、面材９３ａの一方の面に配置され面材９３ａを補強する垂木としての補強材９３ｂとから構成される。屋根パネル９３は、補強材９３ｂを下方に向けて敷設される。さらに、敷設した屋根パネル９３の上に、防水等のために、例えばシート状のルーフィング（図示せず）が敷設される。この結果、屋根９０の構築が完了する。なお、後に、瓦、スレート等の屋根材が、ルーフィングの上に敷設される。
【００６９】
図５と図２５とを参照すると、屋根９０の構築後、建物の外壁の開口部の閉塞（工程Ｓ１７）が、実施される。具体的には、壁パネル５０に形成されていた開口部１００が、窓、玄関扉１０１等によって塞がれる。
【００７０】
工程Ｓ１〜Ｓ１７を実施することにより、建物の構造体２００が完成する。建物の構造体２００の完成後、外壁の外観を形成する外壁材の施工、屋根材の施工、内装の施工、電気設備の施工等が実施される。建物の構造体２００の完成後、建物の開口部が塞がれているため、建物ユニット１及びその内部への雨水、土埃等の汚染物の侵入が抑えられる。
【００７１】
また、建物の外壁の施工は、大型の壁パネル５０を用いて簡易に且つ迅速に実施される。建物の内部の梁、柱の施工は、壁パネル５０の接合金具５９及び建物ユニット１の接合金具２７を用いて簡易に且つ迅速に実施される。屋根の施工は、屋根パネル及び妻壁パネルを用いて簡易に且つ迅速に実施される。よって、建物ユニット１を設置した後、建物の構造体２００の構築を早期に完了することが可能になる。これにより、建物ユニット１の汚損が抑えられる。
【００７２】
［効果など］
以上のように、本実施の形態に係る建物ユニット１及び壁パネル５０の接合構造は、建物の一部を構成し且つ建物の構造材を含み、建設場所以外で予め組み立てられた建物ユニット１と、建物の壁を構成し且つ建物の構造材を含む壁パネル５０とを接合する接合構造である。上記接合構造では、建物ユニット１が含み且つ建物の構造材を構成する床側横架材２２、及び壁パネル５０が含み且つ建物の構造材を構成する横架材５２はそれぞれ、互いに嵌り合うことにより床側横架材２２と横架材５２とを接合可能にする凸部としての接合金具２７及び凹部５２ｂ、又は凹部２２ｃ及び接合金具５９を有する。床側横架材２２及び横架材５２のうちの一方は、建物ユニット１又は壁パネル５０の側方へ突出し且つ端部に凹部２２ｃ又は５２ｂを有する突出床側横架材２２ａ又は突出部分５２ａを形成する。例えば、建物ユニット１の床側横架材２２及び壁パネル５０の横架材５２は、建物の梁であってもよい。なお、上述の構成において、床側横架材２２を天井側横架材２６としてもよい。
【００７３】
また、本実施の形態に係る建物ユニット１及び壁パネル５０の接合方法では、建物の一部を構成し且つ建物の構造材としての床側横架材２２を含み、建設場所以外で予め組み立てられた建物ユニット１を、設置した後、建物の壁を構成し且つ建物の構造材としての横架材５２を含む壁パネル５０を、建物ユニット１に接合する。上記方法は、床側横架材２２及び横架材５２のうちの一方により形成され且つ側方へ突出する突出部分の端部の凹部２２ｃ又は５２ｂに、床側横架材２２及び横架材５２のうちの他方に形成された凸部としての接合金具５９又は２７を嵌り合わせることにより、床側横架材２２と横架材５２とを接合する接合工程を含む。なお、上述において、床側横架材２２を天井側横架材２６としてもよい。
【００７４】
上述の構成及び方法において、建物ユニット１と壁パネル５０との接合の際、建物ユニット１の突出床側横架材２２ａの端部の凹部２２ｃ又は壁パネル５０の突出部分５２ａの端部の凹部５２ｂが、壁パネル５０の接合金具５９又は建物ユニット１の接合金具２７と嵌り合う。これにより、あらかじめ接合金具２７が設けられた建物ユニット１に対して壁パネル５０としての第一壁パネル５０１を結合するときや、あらかじめ接合金具５９が設けられた壁パネル５０としての第二壁パネル５０２を建物ユニット１に結合するときに、建物ユニット１又は壁パネル５０の面材２４又は５４が邪魔することなく接合が容易になる。さらに、建物ユニット１と壁パネル５０との接合は、凹部２２ｃ又は５２ｂと接合金具５９又は２７との嵌り合いの部分によって形成されるため、容易である。また、建物ユニット１と壁パネル５０との接合部を、建物の梁を構成する床側横架材２２及び横架材５２とすることによって、接合部の強度を高くすることができる。なお、床側横架材２２を天井側横架材２６とした場合も、上述と同様の効果が得られる。
【００７５】
実施の形態に係る建物ユニット１及び壁パネル５０の接合構造及び接合方法では、接合金具２７又は５９は、側方から凹部５２ｂ又は２２ｃ内に挿入可能であり且つ上下方向に凹部５２ｂ又は２２ｃ内に挿入可能である。上述の構成及び方法において、接合金具２７又は５９と凹部５２ｂ又は２２ｃとの嵌り合いが容易になる。例えば、壁パネル５０を吊り下ろして設置する場合、壁パネル５０の突出部分５２ａの凹部５２ｂは、建物ユニット１の接合金具２７を下方から上方に向かって受け入れて、接合金具２７と嵌り合う。
【００７６】
実施の形態に係る建物ユニット１及び壁パネル５０の接合構造及び接合方法では、壁パネル５０が設置される支持部としての建物土台４１又は下方の壁パネル５０の横架材５２及び柱５３上に、突起としての連結金具４３又は５８が設けられ、壁パネル５０は、連結金具４３及び５８が挿入される係合孔５３ａを底部に有する。そして、建物ユニット１の床側横架材２２又は天井側横架材２６と壁パネル５０の横架材５２との接合と共に、壁パネル５０の係合孔５３ａに、連結金具４３又は５８が挿入される。上述の構成及び方法において、建物ユニット１の床側横架材２２又は天井側横架材２６と壁パネル５０の横架材５２との接合の際、壁パネル５０は、その底部において連結金具４３又は５８によって位置決めされると共に移動の拘束を受ける。よって、床側横架材２２又は天井側横架材２６と横架材５２との接合が容易になる。
【００７７】
実施の形態に係る建物ユニット１及び壁パネル５０の接合構造及び接合方法では、建物ユニット１の突出床側横架材２２ａ又は壁パネル５０の突出部分５２ａと、建物ユニット１と壁パネル５０とで囲まれた間隙６１又は６２を閉じるように設置される間隙閉鎖壁パネル５０３が、設けられる。上述の構成及び方法において、間隙６１及び６２を小さくすることによって、間隙閉鎖壁パネル５０３の小型化が可能になる。これにより、間隙閉鎖壁パネル５０３の設置は、人力等で実施できるような容易なものとなる。
【００７８】
実施の形態に係る建物ユニット１及び壁パネル５０の接合構造では、建物ユニット１は、凹部２２ｃ及び接合金具２７の少なくとも一方によって構成される壁パネル５０との複数の接合部を有する。建物ユニット１と接合される第一壁パネル５０１及び第二壁パネル５０２は、一方の端部及び他方の端部にそれぞれ、接合金具５９又は凹部５２ｂ若しくは５２ｄを有する。建物ユニット１と接合されずに建物の壁を構成する第二壁パネル５０２が、一方の端部及び他方の端部にそれぞれ、接合金具５９又は凹部５２ｄを有し、第一壁パネル５０１又は他の第二壁パネル５０２と接合される。そして、凹部２２ｃは、凹部５２ｂ及び５２ｄと同様の構成を有し、接合金具２７は、接合金具５９と同様の構成を有している。上述の構成において、第一壁パネル５０１及び第二壁パネル５０２は、建物ユニット１と接合可能であり、互いに接合可能である。さらに、第二壁パネル５０２同士は互いに接合可能である。さらにまた、建物ユニット１には、複数の第一壁パネル５０１及び／又は第二壁パネル５０２の接合が可能である。よって、第一壁パネル５０１及び第二壁パネル５０２によって、建物ユニット１を起点として延在し且つ建物を囲む外壁の形成が可能である。さらに、接合金具２７及び５９が同様の構成を有するため、各接合が容易である。
【００７９】
実施の形態に係る建物ユニット１及び壁パネル５０の接合構造及び接合方法では、建物ユニット１は、土台１２と柱１３とが接続されて構成される構造体であり且つ柱１３間の壁材としての面材１４及び天井パネルが接合された第一分割ユニット１０と、床側横架材２２と柱２３とが接続されて構成される構造体であり且つ柱２３間の壁材としての面材２４及び天井パネルが接合された第二分割ユニット２０とを含む。第一分割ユニット１０の設置後、第二分割ユニット２０が第一分割ユニット１０の上に設置される。この際、第二分割ユニット２０が備える床側横架材２２と、第一分割ユニット１０とが接合される。さらに、床側横架材２２は、第一分割ユニット１０と第二分割ユニット２０との間に位置する。
【００８０】
上述の構成及び方法において、一階の壁パネル５０と建物ユニット１の床側横架材２２との接合部分は、第一分割ユニット１０と第二分割ユニット２０との間の位置、つまり壁パネル５０の上部側の位にある。これにより、床側横架材２２と接合された壁パネル５０は、上部で支持されるため、安定する。よって、建物ユニット１と壁パネル５０との接合を簡易にすることが可能になる。さらに、第二分割ユニット２０が、突出床側横架材２２ａを有する床側横架材２２を備えるため、第一分割ユニット１０及び第二分割ユニット２０を吊るための吊り具及び吊りワイヤと突出床側横架材２２ａとの干渉が抑えられる。よって、第一分割ユニット１０及び第二分割ユニット２０の設置が容易である。
【００８１】
［その他］
以上、本発明に係る建物ユニット１及び壁パネル５０の接合構造及び接合方法について、上記実施の形態に基づいて説明したが、本発明は、上記実施の形態に限定されるものではない。
【００８２】
実施の形態では、建物ユニット１が２つの分割ユニット１ａを備える例について示したが、建物ユニット１は１つのみ又は３つ以上の分割ユニット１ａを備えてもよい。
【００８３】
実施の形態では、２つの分割ユニット１ａが建物の１階と２階とをそれぞれ構成する例について示したが、これに限定されない。分割ユニット１ａは、３階以上の上層階を構成してもよく、地下１階等の地階を構成してもよい。
【００８４】
実施の形態では、建物の構造体２００が完成するまで、分割ユニット１ａの側面には、外壁の施工がなされなかったが、これに限定されるものでない。分割ユニット１ａの側面が建物の外壁になる場合、板壁、塗壁又は張壁などの外壁の施工がなされてもよい。外壁の施工は、工場で予め行われてもよく、建設場所で行われてもよい。
【００８５】
実施の形態では、第二分割ユニット２０の床側横架材２２及び天井側横架材２６は、２つの位置で、第一壁パネル５０１及び／又は第二壁パネル５０２と接合されていたが、これに限定されるものでなく、１つの位置又は３つ以上の位置で接合されてもよい。この場合、床側横架材２２及び天井側横架材２６における複数の接合部は、接合金具２７及び凹部２２ｃを含んでもよく、接合金具２７のみを含んでもよく、凹部２２ｃのみを含んでもよい。
【００８６】
実施の形態では、第二分割ユニット２０の天井側横架材２６は、床側横架材２２の突出床側横架材２２ａのような側方への突出部分を有していなかったが、突出部分を有してもよい。天井側横架材２６は、突出部分を介して壁パネル５０と接合されてもよい。
【００８７】
実施の形態では、建物ユニット１の床側横架材２２及び天井側横架材２６が、壁パネル５０と接合されていたが、建物ユニット１のいかなる構造材又は部材が、壁パネル５０と接合されてもよい。
【００８８】
実施の形態では、第一壁パネル５０１は、横架材５２の突出部分５２ａに凹部５２ｂを有し、突出部分５２ａと反対側の側縁部５０１ｂに接合金具５９を有していたが、これに限定されず、側縁部５０１ｂに凹部５２ｄを有してもよい。建物ユニット１と接合済みの第一壁パネル５０１に第二壁パネル５０２を接合する場合、第二壁パネル５０２の接合金具５９を、第一壁パネル５０１の凹部５２ｄに上方から挿入することができるため、接合が容易になる。
【００８９】
実施の形態では、第二壁パネル５０２は、側縁部５０２ａに凹部５２ｄを有し、側縁部５０２ｂに接合金具５９を有していたが、これに限定されない。第二壁パネル５０２は、側縁部５０２ａ及び５０２ｂに凹部５２ｄを有してもよく、側縁部５０２ａ及び５０２ｂに接合金具５９を有してもよい。例えば、建物の施工フローの工程Ｓ８において、設置済みの第二壁パネル５０２間の間隙に第二壁パネル５０２を設置する場合、設置済みの２つの第二壁パネル５０２の凹部５２ｄに、第二壁パネル５０２の２つの接合金具５９を上方から挿入するように構成することによって、第二壁パネル５０２の設置及び接合が容易になる。
【００９０】
実施の形態では、壁パネル５０の柱５３の底部に形成された係合孔５３ａが、連結金具４３又は５８を収容し、柱５３が連結金具４３又は５８と接続されていたが、これに限定されない。柱５３の底部に形成された係合孔５３ａに、基礎４０に埋め込まれたアンカーボルトを挿入して接続するようにしてもよい。
【００９１】
実施の形態では、建物ユニット１の接合金具２７及び壁パネル５０の接合金具５９は、同様の構成を有していたが、異なっていてもよい。
【００９２】
実施の形態では、建物ユニット１の接合金具２７及び壁パネル５０の接合金具５９は、板材をＵ字状に曲げて形成される形状を有し、突出する２つの側部を有していたが、接合金具２７及び５９の構成は、上記構成に限定されない。接合金具２７及び５９は、凹部５２ｂ及び２２ｃに上下方向に挿入され且つ凹部５２ｂ及び２２ｃと嵌り合う構成を有していればよい。例えば、接合金具２７及び５９は、１つ又は３つ以上の突出する側部を有してもよい。また、凹部２２ｃ及び５２ｂの構成も、実施の形態で説明した構成に限定されない。凹部２２ｃ及び５２ｂは、接合金具２７及び５９を上下方向から受け入れ且つ接合金具２７及び５９と嵌り合う構成を有していればよい。また、建物ユニット１と壁パネル５０とを接合する凸部及び凹部のうちの凸部は、接合金具等の別部材でなく、建物ユニット１又は壁パネル５０の構成部材を成形して形成された凸部であってもよい。また、建物ユニット１と壁パネル５０とを接合する凸部及び凹部のうちの凹部は、建物ユニット１又は壁パネル５０の構成部材に形成された凹部ではなく、接合金具等の別部材であってもよい。
【００９３】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００９４】
１  建物ユニット
１０  第一分割ユニット（第一建物ユニット）
１２  土台（第一建物ユニットの土台）
１３，２３  柱（第一建物ユニットの柱）
１４，２４  面材（建物ユニットの壁材）
２０  第二分割ユニット（第二建物ユニット）
２２  床側横架材（第一構造材）
２２ａ  突出床側横架材（第一構造材、建物ユニットの突出部分）
２２ｃ  凹部（建物ユニットの凹部）
２６  天井側横架材（第一構造材）
２７，５９  接合金具（凸部）
４１  建物土台（支持部）
４３，５８  連結金具（突起）
５０  壁パネル
５２  横架材（第二構造材、支持部）
５２ａ  突出部分（壁パネルの突出部分）
５２ｂ，５２ｄ  凹部（壁パネルの凹部）
５３  柱（支持部）
５３ａ  係合孔
６１，６２  間隙
５０１  第一壁パネル
５０２  第二壁パネル
５０３  間隙閉鎖壁パネル（壁部材）
【図１】
0006770829.tif 000002
【図２】
0006770829.tif 000003
【図３】
0006770829.tif 000004
【図４】
0006770829.tif 000005
【図５】
0006770829.tif 000006
【図６】
0006770829.tif 000007
【図７】
0006770829.tif 000008
【図８】
0006770829.tif 000009
【図９】
0006770829.tif 000010
【図１０】
0006770829.tif 000011
【図１１】
0006770829.tif 000012
【図１２】
0006770829.tif 000013
【図１３】
0006770829.tif 000014
【図１４】
0006770829.tif 000015
【図１５】
0006770829.tif 000016
【図１６】
0006770829.tif 000017
【図１７】
0006770829.tif 000018
【図１８】
0006770829.tif 000019
【図１９】
0006770829.tif 000020
【図２０】
0006770829.tif 000021
【図２１】
0006770829.tif 000022
【図２２】
0006770829.tif 000023
【図２３】
0006770829.tif 000024
【図２４】
0006770829.tif 000025
【図２５】
0006770829.tif 000026